(57)【特許請求の範囲】
【請求項１】
前方が開口１１した本体の左右側板２の内面に内側板３を設けて形成された扉収納部５を有する家具において、家具本体１の前方開口１１を扉１２で閉めた際、扉収納部５に設けられているガイドレール６、ベアリング８、歯車１０等が正面から見えないように左右側板２の前端を直角に内側に折り曲げて補強板４を形成し、前記扉収納部５に設けられた上下のガイドレール６を案内に前後方向に走行する補助扉９を設け、該上下のガイドレール６にラック７を設け、前記補助扉９には、前記ラック７と噛み合う歯車１０を設け、さらに走行を円滑にする下ガイドレール６に係合するようにベアリング８を設け、この補助扉９に蝶番を介して扉１２が回動自在に設けられたことを特徴とする家具における収納扉。
【請求項２】
家具本体１の前側左右の補強板４近傍で底板１８の下框部に固定されたガイドローラ１９を案内に扉１２が回動しながら扉収納部５に収納することができることを特徴とする請求項１記載の家具における収納扉。
【発明の詳細な説明】
【０００１】
【発明の属する技術分野】
本発明は、扉を有する家具において、扉を開いた時に扉が邪魔にならないように、さらに扉を閉めた時に、扉収納部に設けられているガイドレール等の各部材が正面から見た時に見えないようにした家具における収納扉に関するものである。
【０００２】
【従来の技術】
従来の技術として、前方が開口した家具本体の側板の外面の上下に前後方向長いレールを配設し、このレールにラックを前後方向に設け、レールに走行自在に取り付けた移動体にピニオンを設けるとともにピニオンをラックに噛み合わせ、移動体に家具本体の開口を開閉する扉を回動自在に取り付け、上下のレールの前端面部間にカバープレートを架設して取り付けて成る扉付き収納家具（実公平６−１９７３２号公報参照）が存在している。
【０００３】
【発明が解決しようとする課題】
しかしながら、前記で示された従来技術は、扉が家具本体の側板の外側に収納されるもので、扉を側板に沿って収納した場合扉と側板との間の隙間をカバープレートにて隠すことができて外観が良くなるものが開示されている。
【０００４】
しかしながら、上記従来技術においては、前方開口を扉で閉めた場合、家具本体の側板の外面の上下に配設した前後方向の長いレールがむき出しになった状態になり、外観が良くなく、しかも触れることにより衣服を汚したり、怪我をしたりするという問題があった。
【０００５】
本発明は、このような事情に鑑み、前記従来技術の欠点を解消し、簡単な構成により、家具本体の側板を補強すると同時に家具本体の開口を扉で閉めた際、家具本体の側板と扉端部との間の隙間を隠すものである。さらに、扉を扉収納部に収納する際、収納家具側板に連続して折り曲げられて形成された補強板と、扉の端部が衝突したりすることがない収納家具における収納扉を提供することを目的とするものである。
【０００６】
【課題を解決するための手段】
本発明は、前記課題の解決を図ったもので、次のような技術手段を採用した。請求項１記載の発明においては、前方が開口した本体の左右側板の内面に内側板を設けて形成された扉収納部を有する家具において、家具本体の前方開口を扉で閉めた際、扉収納部に設けられているガイドレール、ベアリング、歯車等が正面から見えないように左右側板の前端を直角に内側に折り曲げて補強板を形成し、前記扉収納部に設けられた上下のガイドレールを案内に前後方向に走行する補助扉を設け、該上下のガイドレールにラックを設け、前記補助扉には、前記ラックと噛み合う歯車を設け、さらに走行を円滑にする下ガイドレールに係合するようにベアリングを設け、この補助扉に蝶番を介して扉が回動自在に設けられるという技術手段を採用した。
【０００７】
請求項２記載の発明においては、請求項１記載の発明に加えて、家具本体の前側左右の補強板近傍で底板の下框部に固定されたガイドローラを案内に扉が回動しながら扉収納部に収納するという技術手段を採用した。
【０００８】
【発明の実施の形態】
本発明は、家具本体の側板の内側に内側板を設けて、側板と内側板によって扉収納部を形成したもので、側板の前端部を直角に内方側に折り曲げて補強板とし、この補強板が、扉が開口を閉じた際に目隠しの役目をするものである。
【０００９】
そして、扉収納部には、上下に前後方向に長いガイドレールを配設し、このガイドレールにラックを前後方向に設け、ガイドレールに走行自在に取り付けた補助扉にピニオンである歯車を設けると共に、歯車をラックに噛み合わせ、補助扉に家具本体の開口を開閉する扉を回動自在に取り付けるものである。この扉を開いた状態で扉を家具本体の扉収納部内に収納できて、扉を開いた状態で扉が邪魔にならないように収納でき、しかも、扉を家具本体の扉収納部に沿って移動収納させるに当って、ラックと歯車との噛み合いにより扉と連結した補助扉が移動して、安定移動できる家具における収納扉である。
【００１０】
【実施例】
以下、本発明の一実施例を添付図面で詳細に説明する。
【００１１】
本発明の具体的な一実施例を図１〜図９に基づいて詳細に説明する。
前方が開口した箱状の家具本体１の両側の側板２または片側の側板２の内側に内側板３を設け、この側板２と内側板３とで形成される扉収納部５が設けられている。
【００１２】
また、側板２の前端には直角に内側に折り曲げて形成された補強板４が設けられている。前記扉収納部５の上下に前後方向に長いガイドレール６を配設し、このガイドレール６にラック７を前後方向に設け、ガイドレール６に走行自在になるようにベアリング８を設けた補助扉９にピニオンである歯車１０を設けると共に歯車１０をラック７に噛み合わせ、補助扉９に家具本体１の開口１１を開閉する扉１２を回動自在に取り付けたものである。
【００１３】
前記ガイドレール６のうち、下側のガイドレール６には外側にベアリング８の走行部１３と、略中央部に補助扉案内溝１４と、内側にラック７とがそれぞれ前後方向に設けてある。
【００１４】
そして、上側のガイドレール６は、下側のガイドレール６の外側に形成したベアリング８の走行部１３は排除されたものを採用している。
なお、ガイドレール６は上下共に同一の形状のものを使用することも可能である。
【００１５】
図４と図５に示すように、上のガイドレール６は、案内溝１４の開口部が下方に向いていて、下のガイドレール６は案内溝１４の開口部が上方を向いて取り付けるものである。補助扉９は、縦長のものであって横断面が略コ字状をしており、下側にベアリング８が設けられている。このベアリング８が、前記の走行部１３上に位置し補助扉９を円滑に走行させる役目をもつものである。
【００１６】
さらに、補助扉９の上下部には歯車１０が固着してあり、上下の歯車１０は歯車軸１５の上下に固着してあることで、同調して回転するようになっている。この上下の歯車１０を、前記上下のガイドレール６に設けたラック７に噛み合わせてあって、このようにすることで補助扉９を、前後に移動自在としてある。
【００１７】
この補助扉９と扉１２は、図８と図９に示してあるものからも理解できるように、補助扉９側の蝶番Ａと扉１２側の蝶番Ｂが軸１６を介して回動自在に連結されている。
【００１８】
さらに、家具本体１の側板２に前端部に形成した折り曲げ補強板４と扉１２の扉収納部５への出し入れに際しての衝突をなくすために、図６〜図８に示すように、家具本体１の天板１７と底板１８の前方側の外側に固定した軸にガイドローラ１９、１９が設けられ、このガイドローラ１９を案内に扉１２は徐々に回動開放しながら扉収納部５に収納されるものである。
【００１９】
以上のような構成により、図１の扉１２が閉じた状態から扉１２を開くには、図２の状態から図３の状態を経て扉１２を回動開放しながら補助扉９を扉収納部５に収納する。この際、扉１２と補助扉９とを回動自在に取り付けた蝶番Ａ、Ｂを介して補助扉９に対して扉１２が回動開放しながら押し込むことになる。
【００２０】
この押し込みを円滑にさせるために、前記のラック７と歯車１０、ガイドレール６とベアリング８、扉１２とガイドローラ１９が機能的に連動して行われるものである。
【００２１】
さらに、側板２の補強板４と扉１２により、扉１２を家具本体１の開口１１を閉じるようにした場合、扉収納部５のガイドレール６、ベアリング８、補助扉９、歯車１０等のスペース部が必要なため隙間が生じるが、この隙間を側板２の前端部の補強を兼ねた補強板４によって目隠しの役目を奏するものである。
【００２２】
しかも、ラック７と歯車１０との噛み合わせにより補助扉９と扉１２を移動させるので、ガタツキがなく、スムーズに移動させることができる。
【００２３】
【発明の効果】
本発明は、以上の構成を採用した結果、次のような効果を得ることができる。
（１）扉を開いた状態で扉が邪魔にならないように収納でき、家具本体の側板の前端部を折り曲げて補強板を形成し、この補強板が目隠しの役目を奏するものである。
【００２４】
（２）扉の開放による収納に際して、家具の側板の前端に連続して折り曲げ形成した補強板に扉が接触しないように、家具本体の前部の左右端の上下に設けたガイドローラを案内にして収納できるので、衝突しないため、扉及び補強板の変形がないものである。
【００２５】
（３）家具本体内に扉収納部が設けられ、該扉収納部の上下に前後方向にガイドレールを配設し、このガイドレールにラックを前後方向に設け、ガイドレールに走行自在に取り付けた補助扉に歯車を設けると共に、歯車をラックに噛み合わせることにより扉と連結した補助扉が安定状態で移動できるものである。
【図面の簡単な説明】
【図１】本発明の収納家具を示す概略斜視図である。
【図２】図１に示したＡ視による扉が閉状態を示す断面図である。
【図３】本発明の収納家具における扉の収納途中である補助扉と扉に対する扉収納部との位置関係を示す断面図である。
【図４】図１に示したＢ視による断面図である。
【図５】図１に示したＣ視による断面図である。
【図６】図１に示したＤ視による断面図である。
【図７】図１に示したＥ視による断面図である。
【図８】図１に示したＦ視による断面図である。
【図９】本発明の一実施例である扉と補助扉の連結状態を示す正面図である。
【符号の説明】
１‥‥家具本体                    ２‥‥側板
３‥‥内側板                      ４‥‥補強板
５‥‥扉収納部                    ６‥‥ガイドレール
７‥‥ラック                      ８‥‥ベアリング
９‥‥補助扉                    １０‥‥歯車
１１‥‥開口                      １２‥‥扉
１３‥‥走行部                    １４‥‥補助扉案内溝
１５‥‥歯車軸                    １６‥‥軸
１７‥‥天板                      １８‥‥底板
１９‥‥ガイドローラ
【図１】
0003601918.tif 000002
【図２】
0003601918.tif 000003
【図３】
0003601918.tif 000004
【図４】
0003601918.tif 000005
【図５】
0003601918.tif 000006
【図６】
0003601918.tif 000007
【図７】
0003601918.tif 000008
【図８】
0003601918.tif 000009
【図９】
0003601918.tif 000010